(57)【特許請求の範囲】
【請求項１】
表示板の上下移動及びチルト移動を行う表示板移動装置であって、
上下方向に延在する上下ラックを有する上下可動部と、
前記表示板を保持する表示板保持部であって、前記上下可動部と回動可能に連結された表示板保持部と、
前記表示板のチルト移動のチルト軸方向に延在する軸方向ラックを有する軸方向可動部と、
前記上下ラック及び前記軸方向ラックと噛合可能なギア又はギア列と、
前記上下可動部が所定高さに移動した時に前記軸方向ラックと前記ギア又はギア列とを噛み合わせる機構と、
前記軸方向可動部の前記チルト軸方向の移動により前記表示板保持部を前記軸方向可動部に対してチルト移動させる機構とを備える表示板移動装置。
【請求項２】
前記上下可動部が所定高さに移動した時に前記軸方向ラックと前記ギア又はギア列とを噛み合わせる機構は、前記上下可動部に設けられた第１カム部品と、前記軸方向可動部に設けられた第２カム部品とを含む請求項１に記載の表示板移動装置。
【請求項３】
前記第１カム部品又は前記第２カム部品の一方が、上下方向に対して傾斜を有して延在するカム溝であり、他方が前記カム溝に嵌合する突起である請求項２に記載の表示板移動装置。
【請求項４】
前記第１カム部品が上下方向に対して傾斜を有して延在するカム溝であり、前記第２カム部品が前記カム溝に嵌合する突起であり、
前記上下可動部は、前記カム溝の下端部に接続され、チルト軸方向に延在する支持溝を更に有する請求項２又は３に記載の表示板移動装置。
【請求項５】
前記軸方向可動部の前記チルト軸方向の移動により前記表示板保持部を前記軸方向可動部に対してチルト移動させる機構は、前記軸方向可動部及び／又は前記表示板保持部に設けられた、上下方向とチルト軸方向とに直交する方向の厚さがチルト軸方向において次第に変化する厚さ変化部を含む請求項１〜４のいずれか一項に記載の表示板移動装置。
【請求項６】
前記厚さ変化部は、チルト軸方向に複数設けられている請求項５に記載の表示板移動装置。
【請求項７】
前記上下可動部、前記軸方向可動部、前記表示板保持部は板状部材を含み、
前記上下可動部の板状部材、前記軸方向可動部の板状部材、前記表示板保持部の板状部材が略平行に配置されている請求項１〜６のいずれか一項に記載の表示板移動装置。
【請求項８】
前記上下可動部と前記表示板保持部とを連結する軸と、
上下方向に延在する第１案内溝を有する第１案内部材と、
上下方向に延在する第２案内溝を有する第２案内部材とを更に備え、
前記軸の一端は前記第１案内溝に嵌合され他端は前記第２案内溝に嵌合されており、
前記第１案内溝及び前記第２案内溝の上方に位置する前記軸が前記表示板のチルト移動のチルト軸となる請求項１〜７のいずれか一項に記載の表示板移動装置。
【請求項９】
表示板の上下移動及びチルト移動を行う表示板移動装置であって、
前記表示板を保持する表示板保持部であって、上下方向に延在する上下ラックを有する表示板保持部と、
前記表示板のチルト移動のチルト軸方向に延在する軸方向ラックを有する軸方向可動部と、
前記上下ラック及び前記軸方向ラックと噛合可能なギア又はギア列と、
前記表示板保持部が所定高さに移動した時に前記軸方向ラックと前記ギア又はギア列とを噛み合わせる機構と、
前記軸方向可動部の前記チルト軸方向の移動により前記表示板保持部を前記軸方向可動部に対してチルト移動させる機構とを備える表示板移動装置。
【請求項１０】
請求項１〜９のいずれか一項に記載の表示板移動装置と、
前記表示板移動装置の表示板保持部に取り付けられた表示板とを備える表示装置。
【発明の詳細な説明】
【技術分野】
【０００１】
本発明は、表示板の上下移動及びチルト移動を行う表示板移動装置、及びこれを備えた表示装置に関する。
【背景技術】
【０００２】
自動車等の車両の運転者に速度等の情報を表示する装置として、ヘッドアップディスプレイの使用が広がっている。ヘッドアップディスプレイは、前方を注視した運転者の視界内で速度等の情報を表示する装置であり、フロントガラス（ウィンドウシールド）に情報を表示するウィンドウシールドヘッドアップディスプレイと、ダッシュボードの上面に配置されるコンバイナに情報を表示するコンバイナヘッドアップディスプレイとに大別される。
【０００３】
コンバイナに情報を表示するコンバイナヘッドアップディスプレイにおいては、不使用時にはコンバイナをダッシュボード内に収容し、使用時にはコンバイナを上方に移動してダッシュボードの上面に配置する移動装置が用いられている。またこのような移動装置は、運転者が視認し易いようにコンバイナをチルト移動することも可能である。
【０００４】
特許文献１は、そのような移動装置の一例として、モーター、環状歯付ベルト、駆動歯車、カム、カンチレバー等を用いる装置を開示している。
【先行技術文献】
【特許文献】
【０００５】
【特許文献１】特開２０１２−１５０４２０号
【発明の概要】
【発明が解決しようとする課題】
【０００６】
しかしながら、特許文献１に開示される装置は、環状歯付ベルト、駆動歯車、カム、カンチレバー等の多数の部品を含み、これを組み立てる必要があるため製造コストが高い。また、分光器（コンバイナ）を移動するために多数の部品が必要であるため移動装置、ひいては表示装置全体が大きい。
【０００７】
そこで本発明は、製造コストが安く且つコンパクトな移動装置、及び該移動装置を備えた表示装置を提供することを目的とする。
【課題を解決するための手段】
【０００８】
本発明の第１の態様によれば、
表示板の上下移動及びチルト移動を行う表示板移動装置であって、
上下方向に延在する上下ラックを有する上下可動部と、
前記表示板を保持する表示板保持部であって、前記上下可動部と回動可能に連結された表示板保持部と、
前記表示板のチルト移動のチルト軸方向に延在する軸方向ラックを有する軸方向可動部と、
前記上下ラック及び前記軸方向ラックと噛合可能なギア又はギア列と、
前記上下可動部が所定高さに移動した時に前記軸方向ラックと前記ギア又はギア列とを噛み合わせる機構と、
前記軸方向可動部及び／又は前記表示板保持部に設けられた、前記軸方向可動部の移動により前記表示板保持部を前記軸方向可動部に対してチルト移動させる機構とを備える表示板移動装置が提供される。
【０００９】
本発明の表示板移動装置において、前記上下可動部が所定高さに移動した時に前記軸方向ラックと前記ギア又はギア列とを噛み合わせる機構は、前記上下可動部に設けられた第１カム部品と、前記軸方向可動部に設けられた第２カム部品とを含んでもよい。
【００１０】
本発明の表示板移動装置において、前記第１カム部品又は前記第２カム部品の一方は上下方向に対して傾斜を有して延在するカム溝であってよく、他方は前記カム溝に嵌合する突起であってよい。
【００１１】
本発明の表示板移動装置において、前記第１カム部品は上下方向に対して傾斜を有して延在するカム溝であってよく、前記第２カム部品は前記カム溝に嵌合する突起であってよく、前記上下可動部は、前記カム溝の下端部に接続され、チルト軸方向に延在する支持溝を更に有してもよい。
【００１２】
本発明の表示板移動装置において、前記軸方向可動部の移動により前記表示板保持部を前記軸方向可動部に対してチルト移動させる機構は、前記軸方向可動部及び／又は前記表示板保持部に設けられた、上下方向とチルト軸方向とに直交する方向の厚さがチルト軸方向において次第に変化する厚さ変化部を含んでもよい。
【００１３】
本発明の表示板移動装置において、前記厚さ変化部は、チルト軸方向に複数設けられていてもよい。
【００１４】
本発明の表示板移動装置において、前記上下可動部、前記軸方向可動部、前記表示板保持部は板状部材を含んでもよく、前記上下可動部の板状部材、前記軸方向可動部の板状部材、前記表示板保持部の板状部材が略平行に配置されていてもよい。
【００１５】
本発明の表示板移動装置は、前記上下可動部と前記表示板保持部とを連結する軸と、上下方向に延在する第１案内溝を有する第１案内部材と、上下方向に延在する第２案内溝を有する第２案内部材とを更に備えてもよく、前記軸の一端は第１案内溝に嵌合され他端は第２案内溝に嵌合されていてもよく、第１案内溝及び第２案内溝の上方に位置する前記軸が前記表示板のチルト移動のチルト軸となってもよい。
【００１６】
本発明の第２の態様に従えば、
表示板の上下移動及びチルト移動を行う表示板移動装置であって、
前記表示板を保持する表示板保持部であって、上下方向に延在する上下ラックを有する表示板保持部と、
前記表示板のチルト移動のチルト軸方向に延在する軸方向ラックを有する軸方向可動部と、
前記上下ラック及び前記軸方向ラックと噛合可能なギア又はギア列と、
前記表示板保持体が所定高さに移動した時に前記軸方向ラックと前記ギア又はギア列とを噛み合わせる機構と、
前記軸方向可動部及び／又は前記表示板保持部に設けられた、前記軸方向可動部の移動により前記表示板保持部を前記軸方向可動部に対してチルト移動させる機構とを備える表示板移動装置が提供される。
【００１７】
本発明の第３の態様に従えば、
第１の態様又は第２の態様の表示板移動装置と、
前記表示板移動装置の表示板保持部に取り付けられた表示板とを備える表示装置が提供される。
【発明の効果】
【００１８】
本発明の表示板移動装置、及び該移動装置を備えた表示装置は、製造コストが安く且つコンパクトである。
【図面の簡単な説明】
【００１９】
【図１】図１は本発明の実施形態に係る表示装置の斜視図であり、図１（ａ）は表示板が収納状態にある様子を、図１（ｂ）は表示板が展開状態にある様子を示す。
【図２】図２は本発明の実施形態に係る移動装置の要部を示す分解斜視図である。
【図３】図３は、上下スライド板とコンバイナサポートとの位置関係を示す説明図である。
【図４】図４は移動装置の動作を示す説明図であり、図４（ａ）は上下スライド板が移動装置内の最下部に位置する状態を示し、図４（ｂ）は上下スライド板が水平スライド板の近傍まで上昇した状態を示す。
【図５】図５は移動装置の動作を示す説明図であり、図５（ｃ）は上下スライド板と水平スライド板が共に移動している状態を示し、図５（ｄ）は上下スライド板が移動を停止し、水平スライド板のみが移動している状態を示す。
【図６】図６（ｅ）は移動装置の動作を示す説明図であり、水平スライド板のみが移動している状態を示す。
【図７】図７は、ピニオンギア、上下ラック、水平ラックの噛み合い状態の変化を示す説明図であり、図７（ａ）は、ピニオンギアと上下ラックのみが噛み合っている状態を、図７（ｂ）、（ｃ）はピニオンラックと上下ラック、水平ラックの両方が噛み合っている状態を、図７（ｄ）はピニオンラックと水平ラックのみが噛み合っている状態を示す。
【図８】図８はコンバイナをチルト移動するための厚さ変化部の一例を示す。
【図９】図９は、コンバイナサポート及びコンバイナのチルト移動の様子を示す説明図である。
【図１０】図１０は、コンバイナをチルト移動させるための厚さ変化部の他の例を示す。
【図１１】図１１は、上下スライド板と水平スライド板とを複数のピニオンギアを用いて移動させる様子を示す説明図である。
【発明を実施するための形態】
【００２０】
＜実施形態＞
図１〜図９を参照して、本発明の実施形態について説明する。
【００２１】
図１（ａ）、（ｂ）に示す通り、本実施形態の表示装置１００は、板状のコンバイナＣと、コンバイナＣを保持してコンバイナＣの上下移動及びチルト移動（回動）を行う移動装置（表示板移動装置、移動機構）Ｍとを主に有する。
【００２２】
コンバイナＣは、凹板形状を有するハーフミラーであり、凹面側が情報等が投影される表示面Ｃ１である。コンバイナＣは、移動装置Ｍによって、図１（ａ）に示す収納位置と、図１（ｂ）に示す展開位置との間で上下（上下方向）に移動される。また、図１（ｂ）に示す展開位置にあるコンバイナＣは、移動装置Ｍによって、コンバイナＣ（表示面Ｃ１）の下辺と略平行に水平方向に延びる回転軸（チルト軸）Ｘを中心にチルト移動される。
【００２３】
移動装置Ｍは、図１に示す通り、回転軸Ｘ方向に対向して平行に配置された第１案内板（第１案内部材）１１及び第２案内板（第２案内部材）１２と、第１、第２案内板１１、１２の間に、第１、第２案内板１１、１２と直交して配置された側板２により外形が画成されている。移動装置Ｍはまた、図２に示す通り、第１案内板１１と第２案内板１２との間に側板２及び収納状態にあるコンバイナＣと略平行に配置された上下スライド板（上下可動部）３、コンバイナサポート（表示板保持部）４、及び水平スライド板（軸方向可動部）５を含む。移動装置Ｍは更に、側板２に上下方向に並べて取り付けられたギア列６を含む。
【００２４】
第１案内板１１は、上下方向が長手方向である矩形の板状部材であり、内面（第２案内板１２と対向する面）に第１軸案内溝（第１案内溝）１１ｇと第１ラック１１ｒと第１板案内溝１１ａとを有する。第１軸案内溝１１ｇは、上下方向に延在しており、上端１１ｇｔは第１案内板１１の上辺近傍に、下端１１ｇｂは第１案内板１１の上下中央のやや下方にある。上端１１ｇｔには、図２中の拡大図に示す通り板バネｆｓが軸ＳＨを下方に付勢するような状態で配置されている。第１ラック１１ｒも、第１軸案内溝１１ｇと同様に、第１案内板１１の上辺近傍と上下中央のやや下方の位置との間で上下方向に延在している。すなわち、第１軸案内溝１１ｇと第１ラック１１ｒとは平行であり、且つ上下方向にほぼ同じ長さを有して延在している。また第１板案内溝１１ａは、第１案内板１１の内面上において、第１軸案内溝１１ｇの第１ラック１１ｒ側とは反対側で上下方向に延在している。第１板案内溝１１ａの上端は第１案内板１１の上下中央のやや上方に、下端は第１案内板１１の下辺近傍にある。また第１板案内溝１１ａの上下方向の長さは、第１軸案内溝１１ｇ、第１ラック１１ｒの上下方向の長さと略同一、または第１軸案内溝１１ｇ、第１ラック１１ｒよりも長い。
【００２５】
第２案内板１２は第１案内板１１と同様に、上下方向が長手方向である矩形の板状部材であり、内面（第１案内板１１と対向する面）に、上下方向に延在する第２軸案内溝（第２案内溝）１２ｇと第２ラック１２ｒとを有する。第２軸案内溝１２ｇの上端１２ｇｔは第２案内板１２の上辺近傍に、下端１２ｇｂは第２案内板１２の上下中央のやや下方にある。上端１２ｇｔには、第１軸案内溝１１ｇの上端１１ｇｔと同様に板バネ（不図示）が軸ＳＨを下方に付勢するような状態で配置されている。第２ラック１２ｒは第１ラック１１ｒと同様に、第２案内板１２の上辺近傍と上下中央のやや下方との間に延在している。第２板案内溝１２ａは第１板案内溝１１ａと同様に、第２案内板１２の内面上において、第２軸案内溝１２ｇの第２ラック１２ｒ側とは反対側で上下方向に延在している。
【００２６】
側板２は、回転軸Ｘ方向が長手方向である矩形の板状部材である。側板２の回転軸Ｘ方向の一方側には、第１案内板１１が側板２と略直交して取り付けられており、他方側には、第２案内板１２が側板２と略直交して取り付けられている。すなわち、第１、第２案内板１１、１２と側板２とは、平面視がコ字（Ｕ字）となるように互いに連結されている。
【００２７】
上下スライド板３は、図２に示す通り回転軸Ｘ方向が長手方向である矩形の板状部材であり、平板部３０と、平板部３０の回転軸Ｘ方向の両端部に形成された第１、第２連結部３１、３２（図３）とを有する。上下スライド板３は、平板部３０が第１、第２案内板１１、１２の間に、第１、第２案内板１１、１２と略直交に、且つ側板２及び収納状態にあるコンバイナＣと略平行に位置するよう配置されている。平板部３０の側板２と対向する面には、上下ラック（第１ラック）ＶＲ、カム溝ＣＧ、案内溝ＧＧ、及び３つの支持溝ＳＧ１〜ＳＧ３が形成されている。また、平板部３０の回転軸Ｘ方向の両端の下端部には、第１案内板１１の第１板案内溝１１ａ、第２案内板１２の第２板案内溝１２ａに嵌合されるボス３０ａが形成されている。
【００２８】
上下ラックＶＲは、上下スライド板３（平板部３０）の上端と下端との間に、歯を第２案内板１２側に向けて上下方向に延在している。上下ラックＶＲは、側板２に取り付けられたギア列６と共にラックアンドピニオン機構を構成し、後述するモータ（不図示）の回転を上下スライド板３の上下移動に変換する。
【００２９】
カム溝ＣＧ、案内溝ＧＧ、支持溝ＳＧ１〜ＳＧ３は、それぞれ、平板部３０から直立する一対の平行板により構成された直線状の溝である。カム溝ＣＧは、上下ラックＶＲの第２案内板１２側において、上端が第１案内板１１側に位置し、下端が第２案内板１２側に位置するように、上下方向に対して４５°の角度を有して延在している。
【００３０】
案内溝ＧＧは、上下ラックＶＲの第２案内板１２側において、上下方向に延在している。案内溝ＧＧの上端は、上下スライド板３（平板部３０）の上端のやや下方に位置し、下端はカム溝ＣＧの上端に接続している。
【００３１】
支持溝ＳＧ１〜ＳＧ３は回転軸Ｘ方向に延在している。支持溝ＳＧ１〜ＳＧ３の位置は上下方向においては互いに同じであり、回転軸Ｘ方向においては、支持溝ＳＧ１が上下ラックＶＲの第１案内板１１側に、支持溝ＳＧ２、ＳＧ３が、上下ラックＶＲの第２案内板１２側に配置されている。支持溝ＳＧ１〜ＳＧ３のうち回転軸Ｘ方向の中央に配置された支持溝ＳＧ２の第１案内板１１側の端部は、カム溝ＣＧの下端に接続している。また、支持溝ＳＧ１〜ＳＧ３の第２案内板１２側の端部には、各端部を画成する一対の平行板をつなぐ停止板ｓが形成されている。
【００３２】
第１連結部３１は、平板部３０の第１案内板１１側の上端に形成されている。第１連結部３１は回転軸Ｘ方向を軸方向とする略円筒形を有し、中心部に軸方向に貫通する孔が形成されている。第２連結部３２は、図３に示す通り、平板部３０の第２案内板１２側の上端に形成されている。第２連結部３２は、平板部３０から、回転軸Ｘ方向に直交に、上下ラックＶＲ等が形成された面とは反対側に延びる略半円形の板部であり、回転軸Ｘ方向に貫通する孔を有している。
【００３３】
コンバイナサポート４は、図２及び図３に示す通り、回転軸Ｘ方向が長手方向である矩形の保持板部４０と、保持板部４０の下端から保持板部４０と直交して延在する２つのリブ４１と、保持板部４０の回転軸Ｘ方向の両端部に形成された連結部４２とを有する。保持板部４０の、リブ４１が延在する側とは反対側の面には、コンバイナＣが固定される（図９）。
【００３４】
リブ４１は、保持板部４０の下端に、回転軸Ｘ方向に２つ並んで形成されている。リブ４１は、平面視形状が矩形の第１矩形部Ｒ１及び第２矩形部Ｒ２と、回転軸Ｘ方向において第１矩形部Ｒ１と第２矩形部Ｒ２とに挟まれた、平面視形状が台形の台形部ＴＲとを有する。
【００３５】
第１矩形部Ｒ１の、保持板部４０に直交する方向（上下方向と回転軸Ｘ方向とに直交する方向）の寸法ｔＲ１は、回転軸Ｘ方向の全域に渡って一定である。すなわち、第１矩形部Ｒ１の側板２と対向する側面ＳＲ１は、回転軸Ｘ方向に沿って、保持板部４０と平行に延在している。
【００３６】
台形部ＴＲの、保持板部４０に直交する方向の寸法ｔＴＲは、回転軸Ｘ方向に沿って第１案内板１１側から第２案内板１２側に移動するにつれて、次第に大きくなっている。換言すれば、台形部ＴＲの側板２と対向する傾斜側面ＳＴＲは、保持板部４０に対して角度θを有して傾斜して延在している。傾斜側面ＳＴＲの第１案内板１１側の端部は、側面ＳＲ１の第２案内板１２側の端部と接続している。
【００３７】
第２矩形部Ｒ２の、保持板部４０に直交する方向の寸法ｔＲ２は、回転軸Ｘ方向の全域に渡って一定である。すなわち、第２矩形部Ｒ２の側板２と対向する側面ＳＲ２は、回転軸Ｘ方向に沿って、保持板部４０と平行に延在している。側面ＳＲ２の第１案内板１１側の端部は、傾斜側面ＳＴＲの第２案内板１２側の端部と接続している。また、第２矩形部Ｒ２の寸法ｔＲ２は、第１矩形部Ｒ１の寸法ｔＲ１よりも大きい。なお以下の説明では、適宜、側面ＳＲ１、ＳＲ２及び傾斜側面ＳＴＲをまとめて側面ＳＳと呼ぶ。
【００３８】
連結部４２は、保持板部４０の回転軸Ｘ方向の両端部の上端に形成されている。連結部４２は、それぞれ回転軸Ｘ方向に直交してリブ４１と同じ方向に延びる略半円形を有する板部であり、回転軸Ｘ方向の貫通孔を有している。
【００３９】
図２及び図３に示す通り、上下スライド板３に対してコンバイナサポート４は、軸ＳＨを介して回転可能に連結されている。具体的には、上下スライド板３は、コンバイナサポート４のリブ４１が延在する側（コンバイナＣが取り付けられた面とは反対側）に、第１連結部３１及び第２連結部３２が、コンバイナサポート４の２つの連結部４２の間に位置するように配置されている。軸ＳＨは、この状態において上下スライド板３の第１、第２連結部３１、３２の貫通孔と、コンバイナサポート４の２つの連結部４２の貫通孔とを通り、上下スライド板３とコンバイナサポート４とを連結している。また、上下スライド板３の平板部３０とコンバイナサポート４の保持板部４０との間には、コンバイナサポート４の保持板部４０を、上下スライド板３に近づく方向に付勢するねじりばね（不図示）が設けられている。
【００４０】
上下スライド板３とコンバイナサポート４とを連結した軸ＳＨの両端部の近傍には、それぞれ同期ピニオンＳＰｎが取り付けられている。軸ＳＨの第１案内板１１側の端部は、第１案内板１１の第１軸案内溝１１ｇに嵌合されており、当該端部近傍の同期ピニオンＳＰｎは第１案内板１１の第１ラック１１ｒと噛み合わされている。同様に、軸ＳＨの第２案内板１２側の端部は、第２案内板１２の第２軸案内溝１２ｇに嵌合されており、当該端部近傍の同期ピニオンＳＰｎは第２案内板１２の第２ラック１２ｒと噛み合わされている。
【００４１】
水平スライド板５は、回転軸Ｘ方向が長手方向である矩形状の本体部５０と、本体部５０の第１案内板１１側から下方に延在する矩形状の第１張出部５１と、本体部５０の第２案内板１２側から下方に延在する矩形状の第２張出部５２とを有する。水平スライド板５は、第１案内板１１と第２案内板１２との間において、回転軸Ｘ方向に移動可能なように、不図示のレール機構を介して側板２に取り付けられている。また水平スライド板５は、側板２及び上下スライド板３に直交する方向（上下方向と回転軸Ｘ方向とに直交する方向）においては、側板２と上下スライド板３との間に配置されている。
【００４２】
本体部５０の下辺５０ａの第１案内板１１側には、歯を下方に向けて水平に延在する水平ラック（軸方向ラック）ＨＲが形成されている。水平ラックＨＲは、側板２に取り付けられたギア列６と共にラックアンドピニオン機構を構成し、後述するモータ（不図示）の回転を水平スライド板５の回転軸Ｘ方向の移動に変換する。水平ラックＨＲのピッチは上下ラックＶＲのピッチと同一である。
【００４３】
本体部５０の、上下スライド板３側を向く面（側板２とは反対側を向く面）には、円筒状の３つの突起ｐ１〜ｐ３が形成されている。突起ｐ１〜ｐ３は、上下方向においては互いに同じ位置に配置されており、回転軸Ｘ方向においては定められた間隔で配置されている。突起ｐ１、ｐ３は、後述する通り、上下スライド板３が上方に移動して水平スライド板５と対向した時にそれぞれ支持溝ＳＧ１内、ＳＧ３内に嵌入するように、回転軸Ｘ方向の両端部近傍に配置されている。また突起ｐ２は、上下スライド板３が上方に移動して水平スライド板５と対向したときに、案内溝ＧＧ内、カム溝ＣＧ内、支持溝ＳＧ２内に順に嵌入するように、本体部５０の回転軸Ｘ方向の中央近傍に配置されている。
【００４４】
第１張出部５１は、本体部５０の第１案内板１１側の端部と、水平ラックＨＲの第１案内板１１側の端部との間から、下方に延在している。第１張出部５１の上下スライド板３側を向く面（側板２とは反対側を向く面）には、円筒状の突起（突出部）ｐ４が形成されている。突起ｐ４は、後述する通り、コンバイナサポート４が上方に移動して水平スライド板５と対向した時に、第１案内板１１側のリブ４１の側面ＳＳと接触し、傾斜側面ＳＴＲ上を摺動するように配置されている。
【００４５】
第２張出部５２は、本体部５０の第２案内板１２側の端部と、水平ラックＨＲの第２案内板１２側の端部との間から、下方に延在している。第２張出部５２の上下スライド板３側を向く面（側板２とは反対側を向く面）には、円筒状の突起（突出部）ｐ５が形成されている。突起ｐ５は、後述する通り、コンバイナサポート４が上方に移動して水平スライド板５と対向した時に、第２案内板１２側のリブ４１の側面ＳＳと接触し、傾斜側面ＳＴＲ上を摺動するように配置されている。
【００４６】
ギア列６は、側板２に取り付けられており、図２に示す通り３つのピニオンギアＰｎ１〜Ｐｎ３と、各ピニオンギアの間に配置された２つのアイドルギアＡｄ１、Ａｄ２とを含む。アイドルギアＡｄ１にはモータ（不図示）が連結されている。
【００４７】
次に、図４〜図９を参照して、移動装置Ｍの動作を説明する。なお図４〜６は、図２の側板２側から、上下スライド板３、コンバイナサポート４、水平スライド板５を見た様子を簡略に示している。図７（ａ）〜（ｄ）は、図４〜６と同方向から見たピニオンギアＰｎ１周辺の拡大図であり水平スライド板５を半透明に描いている。
【００４８】
図４（ａ）は、コンバイナＣが図１（ａ）に示す収納状態にある時の、上下スライド板３、コンバイナサポート４、水平スライド板５の配置を示す。
【００４９】
この状態において、上下スライド板３及びコンバイナサポート４は、上下方向の可動範囲内で最も下方に位置しており、上下スライド板３の上下ラックＶＲは、ギア列６の最も下方にあるピニオンギアＰｎ３と噛み合っている。一方で、水平スライド板５の水平ラックＨＲは、ギア列６のピニオンギアＰｎ１とは噛み合っておらず、またギア列６の他のいずれのギアとも噛み合っていない。
【００５０】
またこの状態においては、軸ＳＨの両端部は、それぞれ第１軸案内溝１１ｇの下端１１ｇｂと第２軸案内溝１２ｇの下端１２ｇｂに接触して下方への移動が規制されており、上下スライド板３の平板部３０の両端部のボス３０ａは、それぞれ第１板案内溝１１ａの下端と第２板案内溝１２ａの下端とに接触して下方への移動が規制されている。また軸ＳＨの両端部近傍に取り付けられた同期ピニオンＳＰｎは、それぞれ第１ラック１１ｒ、第２ラック１２ｒと噛合している。
【００５１】
この状態において、モータ（不図示）を駆動してギア列６のピニオンギアＰｎ１〜Ｐｎ３を回転させると、上下ラックＶＲとピニオンギアＰｎ１〜Ｐｎ３とにより構成されるラックアンドピニオン機構により、上下スライド板３が上方に移動する。またこの時、上下スライド板３に連結されたコンバイナサポート４とコンバイナサポート４に固定されたコンバイナＣ、及び上下スライド板３とコンバイナサポート４とを連結する軸ＳＨも上方に移動する。
【００５２】
上下スライド板３、コンバイナサポート４、軸ＳＨの上方への移動は、軸ＳＨの両端部に取り付けられた同期ピニオンＳＰｎを、第１ラック１１ｒ及び第２ラック１２ｒにそれぞれ噛み合わせた状態で行われる。したがって軸ＳＨの上下位置は両端部において同期がとられ、上下スライド板３、コンバイナサポート４、軸ＳＨは、水平を保ったまま上方に移動する。
【００５３】
また上下スライド板３は、上端近傍においては軸ＳＨを介して第１軸案内溝１１ｇ、第２軸案溝１２ｇにガイドされており、下端近傍においてはボス３０ａを介して第１板案内溝１１ａ、第２板案内溝１２ａにガイドされている。したがって上下スライド板３は、側板２と定められた角度を保ったまま安定的且つ良好に上方に移動する。
【００５４】
一方で、水平スライド板５は、上述の通りギア列６のいずれのギアとも噛み合っていない。したがってギア列６の回転は水平スライド板５には伝達されず、水平スライド板５は静止したままである。
【００５５】
図４（ａ）に示す状態から、上下スライド板３、コンバイナサポート４、軸ＳＨが所定距離だけ上方に移動すると、図４（ｂ）に示す状態に至る。
【００５６】
この状態において上下スライド板３及びコンバイナサポート４は、その上端が水平スライド板５の上端とほぼ一致する高さまで上昇して水平スライド板５と対向しており、上下スライド板３の上下ラックＶＲは、ギア列６の最も上方にあるピニオンギアＰｎ１と噛み合っている。一方で、水平スライド板５の水平ラックＨＲは、図４（ａ）に示す状態と同様にギア列６のいずれのギアとも噛み合っていない。
【００５７】
またこの状態においては、水平スライド板５に形成された突起ｐ２が、上下スライド板３に形成された案内溝ＧＧに嵌合している。
【００５８】
図４（ｂ）に示す状態から、上下スライド板３、コンバイナサポート４、軸ＳＨが更に上方に移動すると、上下スライド板３の案内溝ＧＧに嵌合した水平スライド板５の突起ｐ２は、案内溝ＧＧ内を下方に相対移動し、案内溝ＧＧの下端に至る。この状態の拡大図を図７（ａ）に示す。この状態においては、ギア列６のピニオンギアＰｎ１は、上下ラックＶＲと噛み合っているが、水平ラックＨＲとは依然として噛み合っていない。
【００５９】
図７（ａ）に示す状態から、上下スライド板３、コンバイナサポート４、軸ＳＨがわずかに上方に移動すると、上下スライド板３の案内溝ＧＧの下端に位置していた突起ｐ２は、案内溝ＧＧ内をわずかに下方に相対移動し、案内溝ＧＧの下端に接続されたカム溝ＣＧに至る。この状態の拡大図を図７（ｂ）に示す。
【００６０】
ここでカム溝ＣＧは、上述の通り、上端が第１案内板１１側に、下端が第２案内板１２側に位置するように、上下方向に対して４５°の角度を有して延在している。したがって突起ｐ２がカム溝ＣＧに至り、さらに上下スライド板３及びこれに形成されたカム溝ＣＧが上方に移動すると、突起ｐ２は、カム溝ＣＧを画成する壁面に押されて、回転軸Ｘ方向に、第２案内板１２に向かって移動する。これにより、水平スライド板５、及び水平スライド板５に形成された水平ラックＨＲも回転軸Ｘ方向を第２案内板１２に向かって移動し、図５（ｃ）及び図７（ｂ）に示す通り、水平ラックＨＲとピニオンギアＰｎ１とが噛合される。
【００６１】
水平ラックＨＲとピニオンギアＰｎ１とが噛合することにより、ピニオンギアＰｎ１と水平ラックＨＲとによってラックアンドピニオン機構が形成される。したがって、図５（ｃ）及び図７（ｂ）に示す状態においては、ギア列６の回転は、上下スライド板３に伝達されて上下スライド板３を上方に移動すると同時に、水平スライド板５に伝達されて水平スライド板５を回転軸Ｘ方向に移動する。ここで、上下ラックＶＲと水平ラックＨＲのピッチは同一である。したがって、上下スライド板３と水平スライド板５は同一速度で移動し、水平スライド板５に設けられた突起ｐ２は、上下方向に対して４５°の角度を有して上下スライド板３に設けられたカム溝ＣＧの中を滑らかに移動する。
【００６２】
図５（ｃ）、図７（ｂ）に示す状態から、上下スライド板３、コンバイナサポート４、軸ＳＨがわずかに上方に移動した状態を図７（ｃ）に示す。この状態においても、水平スライド板５の突起ｐ２は上下スライド板３のカム溝ＣＧに嵌合している。またこの状態においても、上下ラックＶＲと水平ラックＨＲの両方がピニオンギアＰｎ１と噛み合っており、ピニオンギアＰｎ１の回転により、上下スライド板３、水平スライド板５の両方が移動される。
【００６３】
このように本実施形態の移動装置Ｍにおいては、水平スライド板５の突起ｐ２が上下スライド板３のカム溝ＣＧと嵌合している間は、上下スライド板５の上下ラックＶＲと水平スライド板５の水平ラックＨＲの両方がピニオンギアＰｎ１と噛み合っており、ピニオンギアＰｎ１の回転により、上下スライド板３と水平スライド板５の両方が移動される。
【００６４】
図７（ｃ）に示す状態から、上下スライド板３、コンバイナサポート４、軸ＳＨがわずかに上方に移動し、水平スライド板５がわずかに第２案内板１２側に移動した状態を、図５（ｄ）及び図７（ｄ）に示す。
【００６５】
この状態においては、上下スライド板３の上下ラックＶＲの下端部はギア列６のピニオンギアＰｎ１の上方に位置しており、ピニオンギアＰｎ１は上下ラックＶＲから離脱している。すなわち、上下ラックＶＲとピニオンギアＰｎ１〜Ｐｎ３とは、ラックアンドピニオン機構を形成していない。
【００６６】
一方で、この状態においては、水平スライド板５に形成された突起ｐ１、ｐ２、ｐ３が、上下スライド板３に回転軸Ｘ方向に定められた間隔で形成された支持溝ＳＧ１、ＳＧ２、ＳＧ３にそれぞれ嵌合している。したがって、上下スライド板３は、上下ラックＶＲとギア列６との噛合が解消されているにもかかわらず、突起ｐ１〜ｐ３と、支持溝ＳＧ１〜ＳＧ３との嵌合により支持されて、下方への移動が規制されている。
【００６７】
またこの状態においては、軸ＳＨの両端部はそれぞれ、第１軸案内溝１１ｇの上端部１１ｇｔ第２軸案内溝１２ｇの上端部１２ｇｔに配置された板ばねｆｓに当接して、上方への移動が規制されている。すなわち上下スライド板３、コンバイナサポート４、及びこれらを一体に連結する軸ＳＨは、水平スライド板５の突起ｐ１〜ｐ３と上下スライド板３の支持溝ＳＧ１〜ＳＧ３との嵌合により下方への移動が、軸ＳＨの両端部と板バネｆｓとの当接により上方への移動が規制され、上下方向の一定位置に保持されている。また軸ＳＨは、下方への移動が規制された状態で両端部において板バネｆｓにより下方に付勢されているため搖動が抑制されている。この状態は、コンバイナサポート４及びこれに支持されたコンバイナＣの上方への移動が完了した状態であり、コンバイナＣが図１（ｂ）に示す展開状態にある時の、移動装置Ｍの状態に相当する。
【００６８】
また、図５（ｄ）に示す状態においては、水平スライド板５の第１張出部５１に形成された突起ｐ４の頂面が、コンバイナサポート４の第１案内板１１側に設けられたリブ４１の側面ＳＳに対向しており、水平スライド板５の第２張出部５２に形成された突起ｐ５の頂面が、コンバイナサポート４の第２案内板１２側に設けられたリブ４１の側面ＳＳに対向している。
【００６９】
この状態を上方から見た様子を図８に示す。図８に示す通り、突起ｐ４、ｐ５の頂面は、リブ４１の側面ＳＳのうち、コンバイナサポート４の保持板部４０と平行に延在する側面ＳＲ１に対向している。
【００７０】
図５（ｄ）に示す状態から、ピニオンギアＰｎ１を更に回転すると、上述の通り上下ラックＶＲはピニオンギアＰｎ１とは噛み合っておらず、水平ラックＨＲのみがピニオンギアＰｎ１と噛み合っているため、水平スライド部５のみが回転軸Ｘ方向に沿って第２案内板１２側に移動する。この時、上下スライド板３に形成された支持溝ＳＧ１〜ＳＧ３にそれぞれ嵌合した水平スライド板５の突起ｐ１〜ｐ３は、支持溝ＳＧ１〜ＳＧ３内を第２案内板１２に向かって摺動する（図６（ｅ））。したがって、上下スライド板３、コンバイナサポート４、軸ＳＨの下方への移動は引き続き規制されたままである。
【００７１】
また、水平スライド板５が、回転軸Ｘ方向を第２案内板１２側に移動することにより、図６（ｅ）に示す通り、水平スライド板５の第１、第２張出部５１、５２に形成された突起ｐ４、ｐ５が、コンバイナサポート４のリブ４１の傾斜側面ＳＴＲに当接し、傾斜側面ＳＴＲ上を摺動する。これにより、コンバイナサポート４の保持板部４０は、図９の矢印Ａで示す通り、側板２及び上下スライド板３から離間する方向に押され、保持板部４０に取り付けられたコンバイナＣは、第１軸案内溝１１ｇの上端部１１ｇｔ及び第２軸案内溝１２ｇの上端部１２ｇｔにおいて、板バネｆｓに付勢され、搖動が防止された安定した状態で静止している軸ＳＨを回転軸Ｘとして回動（チルト移動）する。
【００７２】
その後、水平スライド板５は、突起ｐ１〜ｐ３が、支持溝ＳＧ１〜ＳＧ３の停止板ｓに当接するまで回転軸Ｘ方向を移動する。突起ｐ１〜ｐ３が停止板ｓに当接すると、水平スライド板５は停止し、コンバイナＣのチルト移動も停止する。
【００７３】
次に、上記の動作によりチルト移動されたコンバイナＣを、収納位置に戻す動作について説明する。この動作は基本的に、上記した、収納状態のコンバイナＣを展開状態とし、次いでチルト移動させる動作を反対に行うものである。
【００７４】
まず、チルト動作が完了した状態においてモータ（不図示）の回転方向を反転すると、水平スライド板５は回転軸Ｘ方向を第１案内板１１側に移動する。この時、突起ｐ４、ｐ５は、コンバイナサポート４のリブ４１の側面ＳＳ上を、傾斜側面ＳＴＲから側面ＳＲ１に向けて摺動する。よってチルトされていたコンバイナＣは、上下スライド板３の平板部３０とコンバイナサポート４の保持板部４０との間に配置されたねじりばね（不図示）により図９に示す、上下スライド板３及び水平スライド板５に平行な初期状態に戻される。
【００７５】
次いで、水平スライド板５が更に第１案内板１１側に移動すると、図５（ｄ）、図７（ｄ）に示す通り、水平スライド板５の突起ｐ２が、上下スライド板３のカム溝ＣＧの手前に移動する。カム溝ＣＧは、上述の通り、上端が第１案内板１１側に、下端が第２案内板１２側に位置するように、上下方向に対して４５°の角度を有して延在している。したがって突起ｐ２がカム溝ＣＧに至り、さらに水平スライド板５及びこれに形成された突起ｐ２が第１案内板１１側に移動すると、カム溝ＣＧを画成する壁面は突起ｐ２に押されて下方に移動する。これにより、上下スライド板３、及び上下スライド板３に形成された上下ラックＶＲも下方に移動し、図５（ｃ）及び図７（ｃ）に示す通り、上下ラックＶＲとピニオンギアＰｎ１とが噛合される。
【００７６】
図５（ｃ）、図７（ｃ）に示す状態から更に水平スライド板５を第１案内板１１側に移動すると、水平ラックＨＲは、図４（ｂ）及び図７（ａ）に示す通りピニオンギアＰｎ１を超えて第１案内板１１側に移動する。したがって、ピニオンギアＰｎ１が水平ラックＨＲから離脱し、水平スライド板５は停止する。
【００７７】
一方で、上下ラックＶＲは、ピニオンギアＰｎ１、Ｐｎ２、Ｐｎ３と順に噛み合って、図４（ａ）に示す状態に戻る。これにより、コンバイナＣは図１（ａ）に示す収納状態に戻る。
【００７８】
本実施形態の移動装置Ｍ及び表示装置１００の効果を以下にまとめる。
【００７９】
本実施形態の移動装置Ｍは、コンバイナＣの上下移動とチルト移動とを安価なラックアンドピニオン機構により行っているため製造コストが安く、特にスクリューシャフト等を用いてコンバイナＣを上下移動させる装置に比べて製造コストが安い。また、本実施形態の移動装置Ｍは、コンバイナＣを上下方向に移動させるためのラックアンドピニオン機構と、コンバイナＣをチルト移動させるためのラックアンドピニオン機構とを、共通のピニオンギアＰｎ１を用いて省スペースで配置しているため、部品数が少なくコンパクトである。
【００８０】
本実施形態の移動装置Ｍは、上下スライド板３が所定高さに移動した時に水平ラックＨＲとピニオンギアＰｎ１とを噛み合わせる機構としてカム機構を採用しているため、製造コストをより削減することができる。また、本実施形態の移動装置Ｍは、上下スライド板３が所定高さに移動した時に水平ラックＨＲとピニオンギアＰｎ１とを噛み合わせる機構として、上下方向に対して４５°の傾斜を有して延在するカム溝ＣＧと、カム溝ＣＧに嵌合する突起ｐ２とを含むカム機構を採用しているため、水平ラックＨＲとピニオンギアＰｎ１との噛み合わせを確実に行うことができる。
【００８１】
本実施形態の移動装置Ｍは、上下スライド板３、コンバイナサポート４、水平スライド板５がすべて板状であり、これらが互いに平行な状態、且つ収納状態のコンバイナＣと略平行な状態で配置されている。したがって、本実施形態の移動装置Ｍは、コンバイナＣと直交する方向（自動車に搭載した場合には、運転手とフロントガラスとの間に渡る方向）の寸法を小さくすることができる。
【００８２】
本実施形態の移動装置Ｍにおいては、上下スライド板３に、回転軸Ｘ方向に定められた間隔で３つの保持溝ＳＧ１〜ＳＧ３が形成されており、水平スライド板５の突起ｐ１〜ｐ３が、３つの保持溝ＳＧ１〜ＳＧ３に嵌合するように設けられている。したがって、本実施形態の移動装置Ｍにおいては、水平スライド板３を軸ＳＨ方向の複数箇所でバランス良く保持して上下スライド板３の下方への移動を良好に規制することができ、ひいては軸ＳＨを所定の高さに良好に保持した状態で、軸ＳＨを回転中心としたコンバイナＣのチルト移動を行うことができる。
【００８３】
本実施形態の移動装置Ｍにおいては、水平スライド板５の移動によりコンバイナサポート４を前記水平スライド板５に対してチルト移動させる機構として傾斜側面ＳＴＲを有するリブ４１を用いているため、製造コストをより削減することができる。
【００８４】
本実施形態の移動装置Ｍにおいては、コンバイナサポート４のリブ４１は、回転軸Ｘ方向の両端部に２つ形成されており、水平スライド板５の突起ｐ４、ｐ５が、２つのリブ４１に当接するように設けられている。本実施形態の移動装置Ｍにおいては、複数のリブ４１に均等に力を付与してコンバイナサポート４にバランス良く回転力を付与しているため、コンバイナＣのチルト移動を良好に行うことができる。
【００８５】
本実施形態の移動装置Ｍは、第１、第２案内板１１、１２を有し、第１、第２案内板１１、１２に形成された、第１、第２軸案内溝１１ｇ、１２ｇが軸ＳＨの上下移動を案内し、且つコンバイナサポート４のチルト移動時に軸ＳＨを支持している。したがって、本実施形態の移動装置Ｍは、コンパクトであり、且つ上下スライド板３、コンバイナサポート４、軸ＳＨの上下移動を良好に行うことができる。
【００８６】
本実施形態の移動装置Ｍは、第１、第２案内板１１、１２を有し、第１、第２案内板１１、１２に形成された第１、第２ラック１１ｒ、１２ｒに、軸ＳＨに取り付けられた同期ピニオンＳＰｎを噛み合わせた状態で、軸ＳＨを上下移動させている。したがって、上下スライド板３、コンバイナサポート４、軸ＳＨの上下移動時に、これらの水平状態を確実に保つことができる。
【００８７】
本実施形態の表示装置１００も、本実施形態の移動装置Ｍと同様の効果を奏することができる。
【００８８】
なお、上記の実施形態の移動装置Ｍでは、コンバイナＣの展開時に、「上下スライド板（上下可動部）３が所定高さに移動した時に水平ラック（軸方向ラック）ＨＲとピニオンギア（ギア）Ｐｎ１とを噛み合わせる機構」として、上下スライド板３に形成されたカム溝ＣＧと、水平スライド板５に形成された突起ｐ２とを用いている。しかしながらこれには限られず、上下スライド板３に突起を形成し、水平スライド板５にカム溝を形成してもよい。
【００８９】
また、「上下スライド板（上下可動部）３が所定高さに移動した時に水平ラック（軸方向ラック）ＨＲとピニオンギア（ギア）Ｐｎ１又はギア列とを噛み合わせる機構」を、その他の任意のカム機構とすることもできる。例えば、突起と、上下方向に対して斜めに配置された平板とを接触させて水平スライド板５移動して水平ラックＨＲとピニオンギアＰｎ１を噛み合わせることもできるし、突起同士を接触させて水平スライド板５を移動して水平ラックＨＲとピニオンギアＰｎ１を噛み合わせることもできるし、上下方向に対して斜めに配置された平板同士を接触させて水平スライド板５を移動して水平ラックＨＲとピニオンギアＰｎ１を噛み合わせることもできる。なお本明細書においては、カム機構を形成する一対の部品のうち、一方を第１カム部品と呼び、他方を第２カム部品と呼ぶ。
【００９０】
「上下スライド板（上下可動部）３が所定高さに移動した時に水平ラック（軸方向ラック）ＨＲとピニオンギア（ギア）Ｐｎ１又はギア列とを噛み合わせる機構」はカム機構以外の様々な機構であり得る。また「上下スライド板（上下可動部）３が所定高さに移動した時に水平ラック（軸方向ラック）ＨＲとピニオンギア（ギア）Ｐｎ１又はギア列とを噛み合わせる機構」は、上記実施形態のように、コンバイナＣを収容する工程において、水平スライド板（軸方向可動部）５が回転軸Ｘ方向の所定位置に移動した時に上下ラックＶＲとピニオンギア（ギア）Ｐｎ１とを噛み合わせる機能を有するものであってもよいし、有さないものであってもよい。
【００９１】
なお、上記実施形態の移動装置Ｍでは、「水平スライド板（軸方向可動部）５の移動によりコンバイナサポート（表示板保持部）４を前記水平スライド板（軸方向可動部）５に対してチルト移動させる機構」として、コンバイナサポート４に傾斜側面ＳＴＲを有するリブ４１を設け、リブ４１の傾斜側面ＳＴＲと水平スライド板５の突起ｐ４、ｐ５とを接触させて、コンバイナサポート４及びコンバイナＣのチルト移動を行っている。しかしながら、コンバイナサポート４及びコンバイナＣをチルト移動させる機構はこれには限られず、図１０に示す通り、水平スライド部５に、傾斜側面ＳＴＲと同様の傾斜面を有する板状突起ｐ６、ｐ７を設け、これをコンバイナサポート４に形成された突起４３と接触させて、コンバイナサポート４及びコンバイナＣを、水平スライド板５に対してチルト移動させてもよい。また、コンバイナサポート４にリブ４１を設け、水平スライド板５に板状突起ｐ６、ｐ７を設けても良い。本明細書では、コンバイナサポート４のリブ４１や、水平スライド板５の突起ｐ６、ｐ７のように、上下方向と回転軸Ｘ方向とに直交する方向の寸法が回転軸Ｘ方向において次第に変化する部分を「厚さ変化部」と呼ぶ。
【００９２】
また、「水平スライド板（軸方向可動部）５の移動によりコンバイナサポートサポート（表示板保持部）４を前記水平スライド板（軸方向可動部）５に対してチルト移動させる機構」は、「厚さ変化部」を有さない機構であってもよい。
【００９３】
なお、上記実施形態の移動装置Ｍにおいて、上下スライド板３と水平スライド板５とは、板状部材には限定されない。しかしながら、移動装置Ｍの、コンバイナＣと直交する方向の寸法を小さくするためには、該方向の寸法が小さい部材を使用することが好ましい。
【００９４】
なお、上記実施形態の移動装置Ｍにおいて、第１案内板１１は第１案内ラック１１ｒを有さなくてもよく、第２案内板１２は、第２案内ラック１２ｒを有さなくても良い。この時、軸ＳＨには同期ピニオンＳＰｎが取り付けられていなくても良い。
【００９５】
なお、上記実施形態の移動装置Ｍにおいて、第１案内板１１は第１軸案内溝１１ｇを有さなくても良く、第２案内板１２は第２軸案内溝１２ｇを有さなくても良い。この時は例えば、上下スライド板３に上下方向の貫通孔を設け、この貫通孔に上下方向に延在する案内軸を挿入して上下スライド板３をガイドしてもよい。また、上記実施形態の移動装置Ｍにおいて、第１、第２案内板１１、１２は第１、第２軸板案内溝１１ａ、１２ａを有さなくてもよく、上下スライド板３はボス３０ａを有さなくても良い。
【００９６】
なお、上記実施形態の移動装置Ｍにおいて、上下スライド板３は案内溝ＧＧや支持溝ＳＧ１〜ＳＧ３のいずれか又は全てを有さなくてもよい。例えば上下スライド板３が、支持溝ＳＧ２のみを有する場合も、水平スライド板５の突起ｐ２と支持溝ＳＧ２とを嵌合することによって、水平スライド板５の下方への移動を良好に制止することができる。支持溝ＳＧ１〜ＳＧ３を有さない場合は、例えば第１、第２軸案内溝１１ｇ、１２ｇの上端１１ｇｔ、１２ｇｔの近傍に、ばね等により付勢されて第１、第２案内溝１１ｇ、１２ｇの側面から突出し、第１、第２軸案内溝１１ｇ、１２ｇを幅方向にふさぐピンを設け、これにより軸ＳＨの下方への移動を規制してもよい。なお、上下ラックＶＲと水平ラックＨＲの両者にピニオンギアＰｎ１を噛合させる際、ラックとピニオンの位相を合わせるためには、上下ラックＶＲの最初にピニオンギアＰｎ１に噛合する歯と案内溝ＣＧの距離、及び水平ラックＨＲの最初にピニオンギアＰｎ１に噛合する歯と突起Ｐ２との距離の寸法精度を高める必要がある。その場合、上下ラックＶＲと案内溝ＣＧ、水平ラックＨＲと突起p２がそれぞれ一体に形成されている方が有利となる。
【００９７】
なお、上記実施形態の移送装置Ｍは、上下スライド板３を有さなくても良い。この場合は、コンバイナサポート４の側板２と対向する面に、水平ラックＶＲ、及びカム溝ＣＧを設けることができる。またこの場合には、コンバイナサポート４がチルト移動する際の軸ＳＨの下方への移動の規制は、例えば、第１、第２軸案内溝１１ｇ、１２ｇの上端１１ｇｔ、１２ｇｔの近傍に、ばね等により付勢されて第１、第２案内溝１１ｇ、１２ｇの側面から突出し、第１、第２軸案内溝１１ｇ、１２ｇを幅方向にふさぐピンを設けて行うことができる。このピンは、コンバイナサポート４のチルト移動時には軸ＳＨの下方への移動を規制するが、コンバイナサポート４の上下移動時には、軸ＳＨに押されて第１、第２案内溝１１ｇ、１２ｇの側面内に退避し、軸ＳＨの上下移動を許容する。
【００９８】
なお、上記実施形態の移動装置Ｍにおいては、ギア列６に含まれるギアの数は任意である。ピニオンギアの数を増やすことで、上下ラックＶＲの長さを小さくすることができ、上下ラックＶＲの長さを小さくすることで、上下スライド板３の上下寸法を小さくすることができる。上下スライド板３の上下寸法が小さくなれば、側板２、第１、第２案内板１１、１２の上下寸法も小さくできるため、移動装置Ｍ全体の上下寸法を小さくすることができる。
【００９９】
なお、上記実施形態の移動装置Ｍにおいて、ピニオンギアＰｎ１を２段ギアとしてもよい。この場合、例えばモジュールの大きい１段目歯車を上下ラックＶＲと噛み合わせ、モジュールの小さい２段目歯車を水平ラックＨＲと噛み合わせれば、１段目歯車と上下ラックＶＲとにより構成されるラックアンドピニオン機構による上下スライド板３の上下移動を素早く行うことができ、同時に２段目歯車と水平ラックＨＲとにより構成されるラックアンドピニオン機構による水平スライド板５の移動速度を遅くして、コンバイナサポート４のチルト角度の微調整を容易とすることができる。また１段目歯車の歯数と２段目歯車の歯数を適切な組み合わせで可変させてもよい。
【０１００】
なお、上記実施形態の移動装置Ｍにおいて、上下ラックＶＲと噛み合うピニオンギアと水平ラックＨＲと噛み合うピニオンギアとを異ならせても良い。具体的には例えば、図１１に示す通り、上下ラックＶＲと噛み合ってラックアンドピニオン機構を構成するピニオンギアＰｎ１に加えて、水平ラックＨＲと噛み合ってラックアンドピニオン機構を構成するピニオンギアＰｎ４と、ピニオンギアＰｎ１とピニオンギアＰｎ４とをつなぐアイドルギアＡｄ３を設けることができる。またこの場合は、ピニオンギアＰｎ４又はアイドルギアＡｄ３を直接モータ（不図示）に取り付ければバックラッシュが抑制された状態で水平スライド板５を移動させることができ、ひいてはコンバイナサポート４のチルト角度の微調整を精密に行うことができる。ギアの配置は側板２上のわずかなスペースで行い得るため、このように単一のピニオンギアＰｎ１ではなくギア列を構成するいずれかのギア（ピニオンギアＰｎ１又はピニオンギアＰｎ４）を上下ラックＶＲ及び水平ラックＨＲと噛み合わせる構成を用いてもコンパクトな移動装置Ｍを実現できる。
【０１０１】
なお、上下スライド板３と水平スライド板５とを異なる速度で移動させる態様において上下方向に対して傾斜したカム溝を用いる時は、そのカム溝の上下方向に対する傾斜角は、上下スライド板３と水平スライド板５との速度比に応じて決定することができる。
【０１０２】
なお、上記実施形態の移動装置Ｍにおいて、上下スライド板３とコンバイナサポート４とを相対回転可能に連結する構造は、軸ＳＨを用いた構造に限られない。例えば、上下スライド板３の連結部３１、３２とコンバイナサポート４の連結部４２とをリベットで連結してもよい。
【０１０３】
なお、上記実施形態の移動装置Ｍにおいて、コンバイナサポート４のリブ４１の数は、２つには限られない。リブ４１は、１つであってもよいし、３つ以上であってもよい。
【０１０４】
なお、上記実施形態の移動装置Ｍにおいて、傾斜側面ＳＴＲの傾斜角θ、及び回転軸Ｘ方向の長さを適切に設計することで、コンバイナＣの様々なチルト移動を実現することができる。例えば、コンバイナＣのチルト角度を精密に制御したい場合には、傾斜角θを小さくし、回転軸Ｘ方向の長さを大きくするとよい。
【０１０５】
なお、上記実施形態の移動装置Ｍにおいては、水平スライド板５の第１張出部５１に設けられた突起ｐ４と、第２張出部５２に設けられた突起ｐ５とをリブ４１に接触させていたがこれには限られない。第１、第２張出部５１、５２を直接リブ４１に接触させてもよいし、リブ４１が回転軸Ｘ方向に１つのみ設けられている場合には、水平スライド板５の本体部５０の第２案内板１２側の端面を、リブ４１に接触させてもよい。
【０１０６】
なお、上記実施形態の移動装置Ｍにおいて、ギア列６に回転力を与えるためのモータは、任意の位置に配置することができる。したがって、モータを側板２に取り付けることにより、移動装置Ｍの上下寸法を小さくすることができる。
【０１０７】
なお、上記実施形態の移動装置Ｍにおいて、リブ４１の側面ＳＳは傾斜側面ＳＴＲのみで構成されていても良い。
【０１０８】
なお、上記実施形態の移動装置Ｍにおいて、モータはピニオンギアＰｎ１と直接、もしくはピニオンギアＰｎ１により近いギアと噛合している時、もっともバックラッシュの影響が小さくなり、高い精度でチルト移動することが可能となる。
【０１０９】
なお、上記実施形態の移動装置Ｍにおいて、停止板sに突起ｐ１〜ｐ３が当接した際に水平スライド板５や上下スライド板３の移動を停止するようにしていたが、モータの制御方法によっては物理的な当接を行う前にこれらの移動を停止することが可能である。その際、停止板sや上端１１ｇｔや１２ｇｔを設けておくと、何らかの不具合によりこれらの移動がオーバーランした場合のストッパーの役割を果たすことになり、ギアやモータの破損を防止することが可能である。
【０１１０】
なお、上記実施形態の移動装置Ｍにおいて、保持板部４０の傾斜側面ＳＴＲの傾斜方向は図３で示す方向と逆方向に傾斜していても構わず、要求されるチルト移動方向に応じて、適宜選択すればよい。具体的には、図３において傾斜側面ＳＴＲを傾斜角θがマイナスとなるように傾斜させる。
【０１１１】
なお、上記実施形態の表示装置１００においては、コンバイナＣのコンバイナサポート４への取り付けを、表示面Ｃ１とは反対側の面とコンバイナサポート４とを接触させた状態で行っているが、表示面Ｃ１側をコンバイナサポート４に接触させた状態で行っても良い。このようにコンバイナＣの取り付け方法を変えることによっても、コンバイナＣのチルト方向を変えることができる。
【０１１２】
本発明の特徴を維持する限り、本発明は上記実施の形態に限定されるものではなく、本発明の技術的思想の範囲内で考えられるその他の形態についても、本発明の範囲内に含まれる。
【産業上の利用可能性】
【０１１３】
本発明によれば、コンパクトであり且つ製造コストの低い移動装置及び表示装置が提供される。したがって本発明の移動装置及びこれを備える表示装置を、例えば自動車に用いることで、自動車製造のコストを低下することができ、かつダッシュボード周りの設計自由度を高めることができる。
【符号の説明】
【０１１４】
１１  第１案内板
１２  第２案内板
２  側板
３  上下スライド板
４  コンバイナサポート
４１  リブ
５  水平スライド板
６  ギア列
１００  表示装置
Ｃ  コンバイナ
ＨＲ  水平ラック
Ｍ  移動装置
ＳＨ  軸
ＶＲ  上下ラック
【図１】
0006325486.tif 000002
【図２】
0006325486.tif 000003
【図３】
0006325486.tif 000004
【図４】
0006325486.tif 000005
【図５】
0006325486.tif 000006
【図６】
0006325486.tif 000007
【図７】
0006325486.tif 000008
【図８】
0006325486.tif 000009
【図９】
0006325486.tif 000010
【図１０】
0006325486.tif 000011
【図１１】
0006325486.tif 000012